(57)【要約】  郵送用容器１０が、内部表面及び外部表面を有し且つ折り線１６に沿って互いに接続された前波形パネル１２及び後波形パネル１４を含み、前パネル及び後パネルの内部表面は、波形パネルが郵送用容器の中に入れられた物品に順応することを可能にするために、その内部表面に形成されたパターン化されたしわの領域５２を有する。
2021522127.tif 000002
【特許請求の範囲】
【請求項１】
郵送用容器であって、
内部表面及び外部表面を有し且つ折り線に沿って互いに接続された前パネル及び後パネル
を備え、前記前パネル及び前記後パネルの前記内部表面が、前記前パネル及び前記後パネルが前記郵送用容器の中に入れられた物品に順応することを可能にするために、前記内部表面に形成された折り目の領域を有する、郵送用容器。
【請求項２】
前記前パネル及び前記後パネルの前記内部表面が、前記パネルが前記郵送用容器の中に入れられた前記物品に順応することを可能にするために、前記内部表面に形成されたパターン化されたしわの連続的な領域を有する、請求項１に記載の郵送用容器。
【請求項３】
前記前パネル及び前記後パネルの前記内部表面が、ライナを備える、請求項１に記載の郵送用容器。
【請求項４】
前記前パネル及び後パネルが、前記折り線に対して直角に延在する細長い溝ひだを有する波形材料から形成される、請求項１に記載の郵送用容器。
【請求項５】
閉止フラップが、前記前パネルの上縁部に関連付けられる、請求項４に記載の郵送用容器。
【請求項６】
前記閉止フラップの内部表面が、前記郵送用容器を封止するための粘着テープを含む、請求項５に記載の郵送用容器。
【請求項７】
多孔ジッパが、前記前パネルの前記上縁部と前記閉止フラップとの間に形成される、請求項５に記載の郵送用容器。
【請求項８】
側部フラップが、前記前パネルの両側に設けられ、多孔折り線が、各側部フラップと前記前パネルとの間に延在する、請求項４に記載の郵送用容器。
【請求項９】
側部フラップが、前記後パネルの両側に設けられ、多孔折り線が、各側部フラップと前記後パネルとの間に延在する、請求項４に記載の郵送用容器。
【請求項１０】
多孔ジッパが、前記側部フラップのうちの一方に隣接して前記前パネルに形成される、請求項８に記載の郵送用容器。
【請求項１１】
多孔ジッパが、前記側部フラップのうちの一方に隣接して前記後パネルに形成される、請求項９に記載の郵送用容器。
【請求項１２】
各側部フラップが、前記郵送用容器を形成するためにその内部表面上に提供された接着剤を有する、請求項８に記載の郵送用容器。
【請求項１３】
各側部フラップが、前記郵送用容器を形成するためにその内部表面上に提供された接着剤を有する、請求項９に記載の郵送用容器。
【請求項１４】
前記前パネル及び前記後パネルが、前記折り線に対して平行に延在する細長い溝ひだを有する波形材料から形成される、請求項１に記載の郵送用容器。
【請求項１５】
閉止フラップが、前記前パネルの上縁部に関連付けられる、請求項１４に記載の郵送用容器。
【請求項１６】
前記閉止フラップの内部表面が、前記郵送用容器を封止するための粘着テープを含む、請求項１４に記載の郵送用容器。
【請求項１７】
多孔ジッパが、前記前パネルの前記上縁部と前記閉止フラップとの間に形成される、請求項１４に記載の郵送用容器。
【請求項１８】
底部フラップが、前記後パネルの下縁部に設けられ、多孔折り線が、前記底部フラップと前記後パネルとの間に延在する、請求項１４に記載の郵送用容器。
【請求項１９】
前記底部フラップが、前記郵送用容器を形成するためにその内部表面上に提供された接着剤を有する、請求項１８に記載の郵送用容器。
【請求項２０】
接着剤が、前記後パネルの各側縁部に隣接して前記後パネルの前記内部表面上に提供される、請求項１９に記載の郵送用容器。
【請求項２１】
前記前パネル及び前記後パネルの前記内部表面における前記パターン化されたしわが、三角形パターンを形成する、請求項２に記載の郵送用容器。
【請求項２２】
前記前パネル及び前記後パネルの前記内部表面における前記パターン化されたしわが、円形パターンを形成する、請求項２に記載の郵送用容器。
【請求項２３】
前記前パネル及び前記後パネルの前記内部表面における前記パターン化されたしわが、弓形パターンを形成する、請求項２に記載の郵送用容器。
【請求項２４】
前記折り目が、前記前パネル及び前記後パネルが前記郵送用容器の中に入れられた前記物品に適応するために様々な異なる形状に変形することを可能にする、請求項１に記載の郵送用容器。
【請求項２５】
前記異なる形状が、多角形の立体形状から矩形の立体形状まで様々である、請求項２４に記載の郵送用容器。
【請求項２６】
前記前パネル及び前記後パネルが、板紙材料から形成される、請求項１に記載の郵送用容器。
【請求項２７】
前記前パネルが前記後パネルと同一の広がりを持つ、請求項１に従って作成される郵送用容器を作るための素材。
【請求項２８】
郵送用容器であって、
内部表面及び外部表面を有し且つ折り線に沿って互いに接続された前パネル及び後パネルであって、前記折り線に対して直角に延在する細長い溝ひだを有する波形材料から形成される、前パネル及び後パネルを備え、前記前パネル及び前記後パネルの前記内部表面が、前記内部表面に形成されたパターン化されたしわの連続的な領域を有し、前記パターン化されたしわの連続的な領域が、前記折り線をまたがって、前記細長い溝ひだが前記郵送用容器の中に入れられた物品に順応することを可能にする、郵送用容器。
【請求項２９】
閉止フラップが、前記前パネルの上縁部に関連付けられ、前記閉止フラップの内部表面が、前記郵送用容器を封止するための粘着テープを含む、請求項２８に記載の郵送用容器。
【請求項３０】
多孔ジッパが、前記前パネルの前記上縁部と前記閉止フラップとの間に形成される、請求項２８に記載の郵送用容器。
【請求項３１】
側部フラップが、前記前パネルの両側に設けられ、多孔折り線が、各側部フラップと前記前パネルとの間に延在する、請求項２８に記載の郵送用容器。
【請求項３２】
各側部フラップが、前記郵送用容器を形成するためにその内部表面上に提供された接着剤を有する、請求項３１に記載の郵送用容器。
【請求項３３】
前記前パネル及び前記後パネルの前記内部表面における前記パターン化されたしわが、三角形パターン、円形パターン、又は弓形パターンのうちのいずれか１つを形成する、請求項２８に記載の郵送用容器。
【請求項３４】
前記前パネルが前記後パネルと同一の広がりを持つ、請求項２８に従って作成される郵送用容器を作るための素材。
【請求項３５】
郵送用容器であって、
内部表面及び外部表面を有し且つ折り線に沿って互いに接続された前パネル及び後パネルであって、前記折り線に対して平行に延在する細長い溝ひだを有する波形材料から形成される、前パネル及び後パネルを備え、前記前パネル及び前記後パネルの前記内部表面が、それぞれ、前記折り線によって分離された、前記内部表面に形成されたパターン化されたしわの領域を有して、前記細長い溝ひだが前記郵送用容器の中に入れられた物品に順応することを可能にする、郵送用容器。
【請求項３６】
閉止フラップが、前記前パネルの上縁域に関連付けられ、前記閉止フラップの内部表面が、前記郵送用容器を封止するための粘着テープを含む、請求項３５に記載の波形郵送用容器。
【請求項３７】
多孔ジッパが、前記前パネルの前記上縁部と前記閉止フラップとの間に形成される、請求項３６に記載の波形郵送用容器。
【請求項３８】
底部フラップが、前記後パネルの下縁域に設けられ、多孔折り線が、前記底部フラップと前記後パネルとの間に延在する、請求項３５に記載の波形郵送用容器。
【請求項３９】
前記底部フラップが、前記郵送用容器を形成するためにその内部表面上に提供された接着剤を有し、接着剤が、前記後パネルの各側縁部に隣接して前記後パネルの前記内部表面上に提供される、請求項３８に記載の波形郵送用容器。
【請求項４０】
前記パターン化されたしわが、三角形パターン、円形パターン、又は弓形パターンのうちのいずれか１つを形成する、請求項３５に記載の波形郵送用容器。
【請求項４１】
前記前パネルが前記後パネルと同一の広がりを持つ、請求項３５に従って作成される郵送用容器を作るための素材。
【発明の詳細な説明】
【技術分野】
【０００１】
本出願は、その全内容が参照により本明細書に組み込まれている、２０１８年４月２５日に出願した米国特許仮出願第６２／６６２，２８８号、及び、２０１８年５月９日に出願した米国特許仮出願第６２／６６９，０８９号の優先権を主張するものである。
【０００２】
本発明は、包装を対象とし、より詳細には、その中に入れられた物品に適応するように形状が変化するように適合され且つ構成された、波形の繊維板又は板紙から作成された郵送用容器を対象とする。
【背景技術】
【０００３】
様々なタイプの郵送用容器が、文書及び物体を郵送するために使用されてきた。多くの場合、郵送用容器は、良好な機械的強度、耐久性、及び耐衝撃性を示す波形の繊維板又は板紙から作成されてきた。波形の繊維板は、溝ひだ付波形シート（ｆｌｕｔｅｄ  ｃｏｒｒｕｇａｔｅｄ  ｓｈｅｅｔ）及び１枚又は２枚の平坦なライナボードから成る材料である。典型的には、波形媒体及びライナボードはどちらも、通常は０．２５ｍｍ（０．０１インチ）を超える厚さの板紙である容器用クラフト厚紙（ｋｒａｆｔ  ｃｏｎｔａｉｎｅｒ  ｂｏａｒｄ）で作られる。
【０００４】
一般に、波形の繊維板又は板紙から作成された郵送用容器は、波形を形成する溝ひだが比較的堅いので、その中に入れられた立体的な物品の形状に容易には順応しない。したがって、郵送用容器の継目及び封止された縁部は、過度に応力を受けることになり、郵送用容器の構造上の完全性及び安全性は、損なわれ得る。
【発明の概要】
【発明が解決しようとする課題】
【０００５】
したがって、より容易に広がるか又は他の方法でその中に入れられた立体的な物品の形状に順応するように適合され且つ構成された、波形の繊維板又は板紙から作成された郵送用容器を提供することが、有益である。本開示は、郵送用容器が、その中に入れられた立体的な物品に適応するために、パネルが様々な異なる形状に変形することを可能にする折り目（ｆｏｌｄａｂｌｅ  ｃｒｅａｓｅ）によって画定された領域を有する前パネル及び後パネルを有する、解決策を提供する。
【課題を解決するための手段】
【０００６】
郵送用容器が、内部表面及び外部表面を有し且つ折り線に沿って互いに接続された前パネルと後パネルとを含み、前パネル及び後パネルの内部表面は、郵送用容器の中に入れられた物品に前パネル及び後パネルが順応することを可能にするために、内部表面に形成された折り目の領域を有する。
【０００７】
前パネル及び後パネルの内部表面は、郵送用容器に入れられた物品にパネルが順応することを可能にするために、内部表面に形成された、パターン化されたしわの連続的な領域を有し得る。折り目は、前パネル及び後パネルが郵送用容器の中に入れられた物品に適応するために様々な異なる形状に変形することを可能にし得る。異なる形状は、多角形の立体形状から矩形の立体形状まで様々であり得る。
【０００８】
前パネル及び後パネルの内部表面にあるパターン化されたしわは、三角形パターン、円形パターン、又は弓形パターンのうちのいずれか１つを形成し得る。本発明の実施例では、郵送用容器の前パネル及び後パネルの内部表面は、郵送用容器の中に入れられた物品と郵送用容器の内部表面との間の摩擦を減少させるために、ライナを備え得る。そのような場合、パターン化されたしわは、ライナにも形成され得る。
【０００９】
本発明の１つの実施例では、前パネル及び後パネルは、波形パネルを形成する波形又は溝ひだに対して直角に延びる方向に延在する折り線に沿って、互いに接続され得る。閉止フラップが前パネルの上縁部に関連付けられてもよく、閉止フラップの内部表面は、郵送用容器を封止するための粘着テープを含み、また、郵送用容器が封止された後で郵送用容器を開くための多孔ジッパが、前パネルの上縁部と閉止フラップとの間に形成されてもよい。
【００１０】
側部フラップが、前パネルの両側に設けられてもよく、多孔折り線が、各側部フラップと後パネルとの間に延在し、各側部フラップは、郵送用容器を形成するためにその内部表面上に提供された接着剤を有することができる。側部フラップは、前パネルではなく後パネルに関連付けられてもよいことが、想定される。場合により、多孔ジッパが、例えば郵送用容器の上縁部の近くに存在する代わりに、側部フラップのうちの１つに隣接して後パネルに形成され得る。本開示はまた、前パネルが後パネルと同一の広がりを持つ、ここに説明されたような郵送用容器を作るための素材を対象とする。
【００１１】
前パネル及び後パネルは、波形パネルを形成する波形又は溝ひだに対して平行に延びる方向に延在する折り線に沿って、互いに接続され得る。閉止フラップが、前パネルの上縁部に関連付けられてもよく、閉止フラップの内部表面は、郵送用容器を封止するための粘着テープを含み、また、郵送用容器が封止された後で郵送用容器を開くための多孔ジッパが、前パネルの上縁部と閉止フラップとの間に形成されてもよい。底部フラップが、後パネルの下縁部に設けられてもよく、多孔折り線が、底部フラップと後パネルとの間に延在してもよく、また、底部フラップは、郵送用容器を形成するためにその内部表面上に提供された接着剤を有してもよい。接着剤はまた、後パネルの各側縁部に隣接して、後パネルの内部表面上に提供されてもよい。本開示はまた、前パネルが後パネルと同一の広がりを持つ、ここに説明されたような郵送用容器を作るための素材を対象とする。
【００１２】
本発明の上記その他の特徴は、好ましい実施例に関する詳細な説明を図面に関する以下の簡単な説明と併せて読めば、本発明に関連する当業者にはより容易に明らかになるであろう。
【００１３】
当業者が本発明の順応可能な波形郵送用容器を作り且つ使用する方法を過度の実験作業を伴わずに容易に理解することができるように、本発明の好ましい実施例が、図を参照しながら以下で詳細に説明される。
【図面の簡単な説明】
【００１４】
【図１】郵送用容器の前パネル及び後パネルが、主折り線によって接続され、且つ、前パネル及び後パネルが郵送用容器の中に入れられた物品に適応するために様々な異なる形状に変形することを可能にする折り目によって画定された領域を有する、本開示の一実施例による変形可能板紙郵送用容器を作るための素材の平面図である。
【図２】郵送用容器の前パネル及び後パネルが、主折り線によって接続され、且つ、前パネル及び後パネルが郵送用容器の中に入れられた物品に適応するために様々な異なる形状に変形することを可能にする折り目によって画定された領域を有し、また、パネルが郵送用容器の中に入れられた物品に順応することを可能にするように、しわの三角形パターンが前パネル及び後パネルの内部表面に形成される、別の実施例による変形可能板紙郵送用容器を作るための素材の平面図である。
【図３】図２に示された素材から作成された郵送用容器の上面斜視図である。
【図４】多角形から矩形に及ぶ２つの異なる形状への図３の郵送用容器の変形を示す３つの図を含む図である。
【図５】図４に示された矩形の形状の郵送用容器の完全に広げられた底部分の側面図である。
【図６】郵送用容器の前パネル及び後パネルが、パネルを形成する波形に対して直角に延在する折り線によって接続され、しわの三角形パターンが、前パネル及び後パネルの内部表面に形成される、一実施例による波形郵送用容器を作るための素材の平面図である。
【図７】郵送用容器の前パネル及び後パネルが、パネルを形成する波形に対して直角に延在する折り線によって接続され、しわの円形パターンが、前パネル及び後パネルの内部表面に形成される、別の実施例による波形郵送用容器を作るための素材の平面図である。
【図８】郵送用容器の前パネル及び後パネルが、パネルを形成する波形に対して直角に延在する折り線によって接続され、しわの弓形パターンが、前パネル及び後パネルの内部表面に形成される。さらに別の実施例による波形郵送用容器を作るための素材の平面図である。
【図９】郵送用容器の前パネル及び後パネルが、パネルを形成する波形に対して平行に延在する折り線によって接続され、しわの三角形パターンが、前パネル及び後パネルの内部表面に形成される、別の一実施例による波形郵送用容器を作るための素材の平面図である。
【発明を実施するための形態】
【００１５】
次に、同様の参照番号が本発明の類似した構造的要素及び特徴を特定する図を参照すると、図１では、内部表面及び外部表面を有し且つ主折り線１６に沿って互いに接続された前パネル１２及び後パネル１４を含む、郵送用容器素材１０が示されている。前パネル１２及び後パネル１４は、それぞれ、折り目によって画定された又は他の方法で境界されたそれぞれの変形可能領域１８及び２０を有し、折り目は、前パネル１２及び後パネル１４が郵送用容器１０の中に入れられた物品に適応するために様々な異なる形状に変形することを可能にする。
【００１６】
より具体的には、郵送用容器１０の前パネル１２は、水平折り目２２及び２４、垂直しわ２６及び２８、並びに４つの４５度斜めしわ３０ａ〜３０ｄを有し、それらは、前パネル１２の変形可能領域１８を画定する。同様に、郵送用容器１０の後パネル１４は、水平折り目３２及び３４、垂直しわ３６及び３８、並びに４つの４５度斜めしわ４０ａ〜４０ｄを有し、それらは、後パネル１４の変形可能領域２０を画定する。
【００１７】
閉止フラップ４２が、前パネル１２の上縁部に関連付けられ、また、側部フラップ４４及び４６が、前パネル１２の両側に設けられる。閉止フラップ４２の内部表面が、郵送用容器１０を封止するための粘着テープ含み、また、郵送用容器１０が封止された後で郵送用容器１０を開くための多孔ジッパ（図示せず、しかし例えば図６におけるジッパ１５０を参照されたい）が、前パネル１２の上縁部と閉止フラップ４２との間に形成されることが、想定される。
【００１８】
図２を参照すると、参照番号５０によって全体が指定された、本発明の変形可能郵送用容器の別の実施例が示されている。郵送用容器素材５０は、郵送用容器素材５０の前パネル及び後パネルの内部表面が、そこに形成されたパターン化されたしわの連続的な領域５２を有することを除けば、上記で説明された郵送用容器素材１０に実質的に一致する。これらのしわは、郵送用容器５０のパネルが郵送用容器の中に入れられた物品に順応することを可能にする。パターン化されたしわの領域は、三角形パターンを形成することが好ましい。しかし、これらのしわは、例えば円形パターン又は弓形パターンなどの、他のパターンを形成してもよい。
【００１９】
図３は、郵送用容器に作成された郵送用容器素材５０の上面図である。さらに、図４は、立体的な多角形の形状５０ａ及び立体的な矩形の形状５０ｂを含む２つの異なる形状への図３の郵送用容器５０の変形を示す、３つの図を含む。図５は、図４に示された矩形の形状の郵送用容器５０ｂの完全に広げられた底部分の側面図である。
【００２０】
次に図６を参照すると、本発明の一実施例に従って作成され且つ参照番号１００によって全体が指定された、順応可能な波形郵送用容器が示されている。郵送用容器１００、及び本明細書において開示される他の郵送用容器のそれぞれは、波形の繊維板材料から完成素材に型抜きされることが好ましく、波形繊維材料は、良好な機械的強度及び耐衝撃性を示して、郵送用容器を、物品を包装するのに十分に適したものにする。
【００２１】
引き続き図６を参照すると、郵送用容器１００は、折り線１３０に沿って互いに接続された前波形パネル１１０及び後波形パネル１２０を含む。郵送用容器１００の前パネル１１０及び後パネル１２０を形成する波形又は溝ひだの方向は、参照矢印１３５によって示されるように、折り線１３０に対して直角に延びる方向に延在する。
【００２２】
頂部閉止フラップ１４０が、前パネル１１０の上縁部しわ１１２に関連付けられる。閉止フラップ１４０の内部表面は、郵送用容器１００の中に物品が入れられた後で郵送用容器１００を封止するための粘着テープ１４２を含む。多孔ジッパ１５０が、郵送用容器１００が封止された後で郵送用容器１００を開いてその中に含まれた物品を取り出すための多孔ジッパ１５０が、前パネル１１０の上縁部１１２と閉止フラップ１４０との間に形成される。
【００２３】
側部フラップ１６０及び１７０が、前パネル１１０の両側に設けられる。多孔折り線１６２及び１７２が、側部フラップ１６０及び１７０と後パネル１２０との間に延在する。側部フラップ１６０及び１７０は、郵送用容器１００を形成するためにその内部表面上に提供された接着剤１６４、１７４を有する。側部フラップ１６０及び１７０が前パネル１１０ではなく後パネル１２０の対向側上に設けられ得ることが想定され、且つ、十分に本開示の範囲に含まれる。多孔ジッパ１５０が前パネル１１０の上縁部１１２の近くに配置される代わりに側部フラップ１６０、１７０のうちの一方に隣接して後パネル１２０に形成され得ることが、さらに想定される。
【００２４】
本発明によれば、郵送用容器１００の前パネル１１０及び後パネル１２０の内部表面は、そこに形成されたパターン化されたしわの連続的な領域１８０を有する。これらのしわは、波形パネル１１０及び１２０が郵送容器１００の中に入れられた物品に順応することを可能にするように設計される。より具体的には、連続的な領域１８０は、そこに形成された三角形のしわ１９０を有し、三角形のしわは、パネル１１０及び１２０の波形を形成する垂直に延在する溝ひだが屈曲及び湾曲することを可能にして、郵送用容器がその中に入れられた物品により容易に順応することを可能にする。したがって、側部フラップ１６０及び１７０が所定の位置に接着されたときに形成される郵送用容器１００の継目は、過度に応力を受けなくなり、郵送用容器１００の構造上の完全性及び安全が維持される。
【００２５】
引き続き図６を参照すると、パターン化されたしわ１９０の領域は、前波形パネル１１０と後波形パネル１２０とを互いに接続する水平折り線１３０にまたがるか又は他の方法で乗り越え、また、この領域は、パターン化されたしわを含まない側方つぶれ域により、その側部で境界される。郵送用容器１００の前パネル１１０及び後パネル１２０の内部表面は、郵送用容器１００の中に入れられた物品と郵送用容器１００の内部表面との間の摩擦を減少させるためにライナを備え得ることが、想定される。そのような場合、パターン化されたしわは、ライナにも形成され得る。
【００２６】
図７を参照すると、参照番号２００によって全体が指定された別の波形郵送用容器が示されており、この波形郵送用容器２００は、その前パネル２１０及び後パネル２２０の内部表面に形成されたしわの円形パターン２５０を有することを除けば、郵送用容器１００に実質的に類似する。同様に、図８は、参照番号３００によって全体が指定された別の波形郵送用容器を示し、この波形郵送用容器３００は、その前パネル３１０及び後パネル３２０の内部表面に形成されたしわの弓形パターン３５０を有する。両方の郵送用容器２００及び３００において、パターン化されたしわは、郵送用容器の波形パネルが郵送用容器の中に入れられた物品に順応することを可能にするように設計される。
【００２７】
次に図９を参照すると、参照番号４００によって全体が指定された、さらに別の波形郵送用容器が示されている。郵送用容器４００は、郵送用容器４００の前パネル４１０及び後パネル４２０が、垂直折り線４３０によって接続され、パネルを形成する波形又は溝ひだもまた、参照矢印４３５によって指定された折り線４３０と（平行に延びる）同じ方向に延在するという点で、先に説明された実施例のそれぞれとは異なる。
【００２８】
この実施例では、頂部閉止フラップ４４０が、前パネル４１０の上部域に関連付けられ、フラップ４４０の内部表面が、郵送用容器４４０を封止するための粘着テープ４４２を含む。郵送用容器４００が封止された後で郵送用容器４００を開くための多孔ジッパ４５０が、前パネル４１０の上縁部４１２と閉止フラップ４４０との間に形成される。底部フラップ４６０が、後パネル４２０の下縁域に設けられ、多孔折り線４６２が、底部フラップ４６０と後パネル４２０との間に延在する。底部フラップ４６０は、郵送用容器４００を形成するためにその内部表面上に提供された接着剤を有する。接着剤はまた、後パネル４２０の各側縁部に隣接して後パネル４２０の内部表面上に提供される。
【００２９】
引き続き図９を参照すると、郵送用容器４００の前パネル４１０及び後パネル４２０の内部表面は、それぞれ、そこに形成されたパターン化されたしわの領域４８０及び４８２を有する。これらのしわの別々の領域は、波形パネル４１０及び４２０が郵送用容器４００の中に入れられた物品に順応することを可能にするように設計される。より具体的には、両方の領域４８０及び４８２は、そこに形成された三角形のしわのパターン４９０及び４９２を有し、それらのしわのパターン４９０及び４９２は、パネル４１０及び４２０の波形を形成する垂直に延在する溝ひだが屈曲及び湾曲することを可能にして、郵送用容器がその中に入れられた物品により容易に順応することを可能にする。したがって、底部フラップ４６０が所定の位置に接着されたときに形成される郵送用容器４００の継目は、過度に応力を受けなくなり、郵送用容器４００の構造上の完全性及び安全性は維持される。
【００３０】
本明細書において開示された実施例のうちの１つ又は複数において、郵送用容器の前パネル及び後パネルの内部表面が、郵送用容器の中に入れられた物品と郵送用容器の内部表面との間の摩擦を減少させるためにライナを備えることが、想定される。そのような場合、パターン化されたしわは、ライナにも形成され得る。ライナは基本的には下層の素材と同じに見えることを当業者は認識するはずなので、ライナは図面では独立した品目として示されていない。
【００３１】
本開示は、好ましい実施例を参照して示され且つ説明されたが、当業者は、本開示の範囲から逸脱することなしに好ましい実施例に対して変更及び／又は修正がなされ得ることを容易に理解するであろう。
【図１】
2021522127.tif 000003
【図２】
2021522127.tif 000004
【図３】
2021522127.tif 000005
【図４】
2021522127.tif 000006
【図５】
2021522127.tif 000007
【図６】
2021522127.tif 000008
【図７】
2021522127.tif 000009
【図８】
2021522127.tif 000010
【図９】
2021522127.tif 000011
【国際調査報告】
2021522127.tif 000012
2021522127.tif 000013